(57)【特許請求の範囲】
【請求項１】
一方のコネクタに、スライダがコネクタ嵌合離脱方向にスライド自在に設けられて弾性部材で他方のコネクタに向けて付勢されると共に、該他方のコネクタの第一のロック部に対する第二のロック部を有する可撓性のロックアームが設けられ、該スライダに、該他方のコネクタの第一の当接部に対する第二の当接部と、コネクタ離脱方向に後退操作させるための操作用の突部とが設けられた半嵌合検知コネクタにおいて、
前記第二のロック部に隣接して前記ロックアームの側部に従接部が設けられ、前記スライダに、スライダ後退時に該従接部に摺接して該ロックアームを撓ませる方向に傾斜した第一のガイド傾斜部と、撓んだ状態の該ロックアームの該第二のロック部に摺接して該ロックアームをさらに撓ませる方向に傾斜した第二のガイド傾斜部とがコネクタ嵌合方向に隣接して順次設けられ、前記第二の当接部を有する可撓性の当接アームが該スライダに設けられ、該第二のロック部が該第二のガイド傾斜部に乗り上げた際に、該第二の当接部が前記一方のコネクタ側のガイド部に乗り上げて、該第二の当接部と前記第一の当接部との当接が解除されることを特徴とする半嵌合検知コネクタ。
【請求項２】
前記従接部が前記ロックアームの両側に設けられたことを特徴とする請求項１記載の半嵌合検知コネクタ。
【請求項３】
前記ロックアームの撓み側に第三の当接部が設けられ、前記スライダに、該第三の当接部に対する当接部が設けられ、前記第一と第二のロック部の係合状態で、該当接部の傾斜面が前記付勢のもとで該第三の当接部の傾斜面に当接することを特徴とする請求項１又は２記載の半嵌合検知コネクタ。
【請求項４】
前記スライダに停止部が設けられ、該停止部が前記付勢のもとで前記ガイド部に当接することを特徴とする請求項１〜３の何れかに記載の半嵌合検知コネクタ。
【請求項５】
前記第一と第二のロック部が、垂直ないしはロック解除しにくい方向に傾斜した係止面を有することを特徴とする請求項１〜４の何れかに記載の半嵌合検知コネクタ。
【発明の詳細な説明】
【０００１】
【発明の属する技術分野】
本発明は、一方のコネクタ内に弾性付勢されたスライダの作用で他方のコネクタとの半嵌合を検知すると共に、両コネクタのロック解除を確実に行わせることのできる半嵌合検知コネクタに関するものである。
【０００２】
【従来の技術】
図１１〜図１２は、特開平１０−２８９７５６号公報に記載された従来の半嵌合検知コネクタを示すものである。
【０００３】
図１１で、５１は雄側のコネクタ、５２は雌側のコネクタを示す。雄側のコネクタ５１は合成樹脂製のコネクタハウジング５３内に雌型の端子５４を有し、雌側のコネクタ５２は合成樹脂製のコネクタハウジング５５内に雄型の端子５６を有している。雄側のコネクタハウジング５３は外側に合成樹脂製のフード部５７を一体に有している。雌側のコネクタ５２は、雄側のコネクタハウジング５３を嵌合させるコネクタ嵌合室５８を有し、コネクタ嵌合室５８内に雄型の端子５６の接触用のタブ部５６ａを突出させている。本明細書では、雌型の端子５４を有する方を雄型のコネクタ５１、雄型の端子５６を有する方を雌側のコネクタ５２と定義している。
【０００４】
雄側のコネクタハウジング５３のフード部５７内にコネクタ半嵌合検知用の合成樹脂製のスライダ５９が前後方向（コネクタ嵌合離脱方向）にスライド自在に設けられている。スライダ５９は雄側のコネクタハウジング５３の上部に位置し、フード部５７内の圧縮コイルばね６０で前方に付勢されている。スライダ５９は後端側に操作突部６１と下向きの停止突起６２を有し、中間部に水平方向の可撓性の当接アーム６３を有し、前端側に水平方向の当接壁６５を有している。当接アーム６３は前端側に下向きの当接突起６４を有し、当接突起６４は後側に摺接用の傾斜面を有している。当接アーム６３は上下方向に撓み可能である。
【０００５】
フード部５７の長手方向中間部に、スライダ５９の停止突起６２を当接させる停止兼案内用のガイド突起６６が上向きに設けられ、ガイド突起６６の前方に可撓性のロックアーム６７が延設され、ロックアーム６７の先端に、雌側のコネクタ５２の上向きのロック突起６９を係合させる下向きのロック突起６８が設けられると共に、ロック突起６８の上側に撓み防止用の当接突起７０が設けられている。水平な当接壁６５の下面に当接突起７０が当接して、ロックアーム６７の上方向への撓みが阻止されている。
【０００６】
雌側のコネクタ５２には、前記ロック突起６９がコネクタ嵌合室５８の上壁の後寄りに設けられると共に、ロック突起６９の前方に、スライダ５９の当接突起６４に対する上向きの当接突起７１が設けられている。各ロック突起６８，６９は各コネクタ５１，５２の幅方向中央に設けられ、各当接突起６４，７１は各コネクタ５１，５２の幅方向両側に設けられている。
【０００７】
図１１の状態から両コネクタ５１，５２を初期嵌合させると、両当接突起６４，７１が当接し、さらに両コネクタ５１，５２を嵌合方向に押圧することで、スライダ５９が押されて後退してコイルばね６０を圧縮させる。スライダ５９の当接壁６５はロックアーム６７の上向きの当接突起７０から後方へ離間する。そして、当接突起６４の傾斜面がガイド突起６６の傾斜面に摺接することで、スライダ５９の当接アーム６３が上向きに撓み、それにより両当接突起６４，７１の突き当てが解除される。そして、両コネクタ５１，５２のロック突起６８，６９が当接してロックアーム６７が上向きに撓み、さらに両コネクタ５１，５２を嵌合方向に押圧することで、ロック突起６８がロック突起６９を乗り越えて復元し、図１２の如く両コネクタ５１，５２の完全嵌合と同時に両ロック突起６８，６９が係合して、両コネクタ５１，５２がロックされる。その状態で両コネクタ５１，５２の端子５４，５６は相互に接続される。
【０００８】
コネクタ５１，５２の嵌合途中においては、スライダ５９がコイルばねで６０コネクタ離脱方向に押圧され、且つ両当接突起６４，７１が突き当たった状態となっているから、コネクタ５１，５２が半嵌合（不完全嵌合）である場合には、雌側のコネクタ５２がコイルばね６０の力で雄側のコネクタ５１から押し出される。これにより、コネクタ５１，５２の半嵌合が検知される。作業者が再度コネクタ５２を押し込むことで、両コネクタ５１，５２が完全嵌合される。
【０００９】
【発明が解決しようとする課題】
しかしながら、上記従来の半嵌合検知コネクタにあっては、ロック解除に際して両コネクタ５１，５２を強く後方に引っ張ることで、雄側のコネクタ５１のロック突起６８の係止面６８ａが雌側のコネクタ５２のロック突起６９の係止面６９ａに摺接し、それに伴ってロックアーム６７が上向きに撓んで、両ロック突起６８，６９の係合が解除されるようになっているために、大きなコネクタ離脱力が必要で、コネクタ離脱操作が大変であるという問題があった。そこで、コネクタ離脱力を軽減させるために、ロック突起６８，６９の係止面６８ａ，６９ａを後下がりに傾斜させているが、スライダ５９が少しでも後退した場合に（当接壁６５が当接突起７０から離間した時点で）、ロック突起６８，６９の係合が解除されやすくなり、不意なコネクタ５１，５２の抜け出しが生じやすくなるという懸念があった。
【００１０】
また、コネクタ５１，５２の半嵌合時に、ロックアーム６７のロック突起６８が相手側のコネクタ５２のロック突起６９の上に乗り上げた状態で、ロックアーム６７の復元力で雌側のコネクタ５２を下向きに押圧するから、摺動抵抗が増して、コイルばね６０で雌側のコネクタ５２を押し出す力が弱まり、半嵌合検知精度が低下するという懸念があった。
【００１１】
本発明は、上記した点に鑑み、コネクタ半嵌合検知用のスライダを用いた半嵌合検知コネクタにおいて、コネクタ相互のロックを確実に行うことができると共に、コネクタ離脱作業を小さな力でスムーズ且つ容易に行うことができ、しかもコネクタ半嵌合検知を精度良く行うことのできる半嵌合検知コネクタを提供することを目的とする。
【００１２】
【課題を解決するための手段】
上記目的を達成するために、本発明は、一方のコネクタに、スライダがコネクタ嵌合離脱方向にスライド自在に設けられて弾性部材で他方のコネクタに向けて付勢されると共に、該他方のコネクタの第一のロック部に対する第二のロック部を有する可撓性のロックアームが設けられ、該スライダに、該他方のコネクタの第一の当接部に対する第二の当接部と、コネクタ離脱方向に後退操作させるための操作用の突部とが設けられた半嵌合検知コネクタにおいて、前記第二のロック部に隣接して前記ロックアームの側部に従接部が設けられ、前記スライダに、スライダ後退時に該従接部に摺接して該ロックアームを撓ませる方向に傾斜した第一のガイド傾斜部と、撓んだ状態の該ロックアームの該第二のロック部に摺接して該ロックアームをさらに撓ませる方向に傾斜した第二のガイド傾斜部とがコネクタ嵌合方向に隣接して順次設けられ、前記第二の当接部を有する可撓性の当接アームが該スライダに設けられ、該第二のロック部が該第二のガイド傾斜部に乗り上げた際に、該第二の当接部が前記一方のコネクタ側のガイド部に乗り上げて、該第二の当接部と前記第一の当接部との当接が解除されることを特徴とする（請求項１）。
前記従接部が前記ロックアームの両側に設けられたことも有効である（請求項２）。
また、前記ロックアームの撓み側に第三の当接部が設けられ、前記スライダに、該第三の当接部に対する当接部が設けられ、前記第一と第二のロック部の係合状態で、該当接部の傾斜面が前記付勢のもとで該第三の当接部の傾斜面に当接することも有効である（請求項３）。
また、前記スライダに停止部が設けられ、該停止部が前記付勢のもとで前記ガイド部に当接することも有効である（請求項４）。
また、前記第一と第二のロック部が、垂直ないしはロック解除しにくい方向に傾斜した係止面を有することも有効である（請求項５）。
【００１３】
以下に、上記構成に基づく作用を説明する。
両コネクタを嵌合方向（前方）に押圧することで、第一の当接部が第二の当接部を後方に押してスライダを後退させる。これに伴ってスライダの第一のガイド傾斜部がロックアームの従接部を拾い、従接部が第一のガイド傾斜部に沿って移動するとロックアームが少し撓み、今度は第二のガイド傾斜部がロックアームの第二のロック部を拾い、第二のロック部が第二のガイド傾斜部に沿って移動することでロックアームが大きく撓み、第二のロック部が第一のガイド部からロックアーム撓み方向に離間して非接触となる。次いでスライダの第二の当接部がガイド部に乗り上げることで、当接アームが撓んで、第二の当接部と第一の当接部との当接が解除され、それによってスライダが前方に弾性的に復元する。それによって、第二のガイド傾斜部と第二のロック部との当接が瞬時に解除されて、ロックアームが復元して、第一のロック部と第二のロック部とが係合して、コネクタが抜け出しなくロックされ、同時に両コネクタが完全嵌合する。
【００１４】
コネクタが半嵌合（不完全嵌合）である場合には、両ロック部が係合せず、且つ両当接部が当接しているから、スライダが前方に付勢される力で第一の当接部がコネクタ離脱方向（後方）に押されて、他方のコネクタが押し出される。それによってコネクタ半嵌合が検知される。
【００１５】
両コネクタの嵌合を解除するには、スライダを付勢に抗してコネクタ離脱方向（後方）にスライドさせる。これによって上記同様に第一の傾斜部がロックアームの従接部を拾い、次いで第二の傾斜部が第二のロック部を拾って、ロックアームが強制的に撓まされ、両ロック部の係合が解除される。両コネクタをコネクタ離脱方向に引っ張ることで両コネクタが離脱される。
【００１６】
【発明の実施の形態】
以下に本発明の実施の形態の具体例を図面を用いて詳細に説明する。
図１は、本発明に係る半嵌合検知コネクタを示すものである。
【００１７】
半嵌合検知コネクタ１は、半嵌合検知用の合成樹脂製のスライダ４を有する雄側のコネクタ２と、スライダ４に押圧される一対の当接突起（当接部）５を有する雌側のコネクタ３とで構成されている。雄側のコネクタ４は、フード部７を有する合成樹脂製のコネクタハウジング６と、コネクタハウジング６の端子収容室８内に挿入係止された雌型の端子９（図３）とを備えている。雌側のコネクタ３は、コネクタ嵌合室１１を有する合成樹脂製のコネクタハウジング１０と、コネクタハウジング１０の後半側に収容された雄型の端子１２（図３）とを備えている。
【００１８】
雄側のコネクタ２のフード部７の上壁１３には矩形状の開口部１４が設けられ、開口部１４の内側空間１５（図２）に前部開口１６（図３）からスライダ４が前後方向スライド自在に挿入されている。図２にも示す如く、開口部１４内の後端側には左右一対のばね受け部１７が形成されている。前部開口１６（図３）からばね受け部１７内に圧縮コイルばね（弾性部材）１８（図２）が挿着されている。
【００１９】
雌側のコネクタハウジング１０には、上壁１９の長手方向中間部に前記一対の当接突起５が並列に設けられ、当接突起５の後方において上壁１９の幅方向中央に、雄側のコネクタ２に対するロック突起（ロック部）２０が設けられている。当接突起５は前側の垂直な当接面５ａと後側の傾斜面５ｂとを有し、ロック突起２０は前側の傾斜面２０ａと後側の垂直な係止面２０ｂとを有している。当接突起５の外側には、雄側のコネクタ２に対する位置決めガイド用の突条２１が設けられている。
【００２０】
図２の如く、スライダ４は、後側に後退操作用の上向きの突部２２を有し、突部２２の下側に停止突起（停止部）２３（図３）を有している。また、中間部に逆コ字状の可撓性の当接アーム２４を有している。当接アーム２４の前端の左右両側に一対の当接突起（第二の当接部）２５（図３）が下向きに設けられている。当接アーム２４の基部は後段部２６の内側に位置し、後段部２６にコイルばね１８の前端が当接する。
【００２１】
スライダ４の前側には一対の第一のガイド傾斜部２７が形成されると共に、一対の第一のガイド傾斜部２７の内側で且つ前側に第二のガイド傾斜部２８が形成されている。両ガイド傾斜部２７，２８は後下がりに傾斜し、第二のガイド傾斜部２８の傾斜角度は第一のガイド傾斜部２７のそれよりも急勾配である。スライダ４の下面側において前端から前記当接突起２５（図３）にかけて一対のガイド溝（図示せず）が形成されている。ガイド溝には雌側のコネクタハウジング１０（図１）の当接突起５が進入する。雌側のコネクタハウジング１０（図１）のロック突起（第一のロック部）２０は雄側のコネクタハウジング６（図３）の下向きのロック突起（第二のロック部）２９に対向して位置する。スライダ４の中間部の両側端には前抜け防止用の停止突起３０が設けられている。
【００２２】
図３に示す如く、雄側のコネクタ２はフード部７の内側で且つ下側にフロントホルダ３１付きの内側ハウジング３２を有し、内側ハウジング３２内に電線３３付きの雌型の端子９を有している。電線３３には防水ゴム栓３４が外挿され、内側ハウジング３２の外側にはパッキン３５が装着されている。フード部７の内側で且つ上側にスライダ４が前後方向（コネクタ嵌合離脱方向）にスライド自在に設けられている。
【００２３】
図３においてスライダ４はコイルばね１８（図２）で前向き（コネクタ嵌合方向）に付勢されている。２２はスライダの操作用の突部、２３は停止突起である。停止突起２３は前側に垂直な当接面２３ａ、後側に傾斜面２３ｂを有している。傾斜面２３ｂは、スライダ４をフード部７内に装着する際に、フード部側の停止兼案内用のガイド突起（ガイド部）３６をスムーズに乗り越えるためのものである。ガイド突起３６はフード部７内の水平な中間壁３７の長手方向中間部において上向きに設けられ、前側に傾斜面３６ａ、後側に当接面３６ｂを有している。中間壁３７の上側にスライダ収容空間１５が設けられている。中間壁３７の前半側は大きく切欠され、その切欠部内に可撓性のロックアーム３８が中間壁３７と一体に前向きに延長形成されている。
【００２４】
ロックアーム３８は先端部に下向きのロック突起（第二のロック突起）２９と上向きの当接突起（第三の当接部）３９とを有すると共に、先端部の両側にロック解除用の一対の従接突起（従接部）４０を有している。ロック突起２９は前側の傾斜面２９ａと、後側の垂直ないしは若干前向きに傾斜した係止面２９ｂとを有し、当接突起３９は上側に後下がりの傾斜面３９ａを有し、従接突起４０は下側に前上がりの傾斜面４０ａを有している。ロックアーム３８の先端部はフード部７の前端と中間壁３７の前端とのほぼ中間に位置している。
【００２５】
スライダ４は中間部に可撓性の略逆コの字状の当接アーム２４を有し、当接アーム２４の前方に当接壁（当接部）４１を有し、当接壁４１の前方に第一のガイド傾斜部２７を有し、第一のガイド傾斜部２７の前方に第二のガイド傾斜部２８を有している。当接アーム２４は前端側に下向きの当接突起（第二の当接突起）２５を有し、当接突起２５は垂直な前側の当接面２５ａと後側の傾斜面２５ｂとを有している。
【００２６】
停止突起２３とガイド突起３６とが当接した状態で、当接突起２５はロックアーム３８の両側においてロック突起２９の後方に位置し、当接突起２５の下端はロックアーム３８の下面と同一面に位置している。当接壁４１は、ロックアーム３８の当接突起３９に接する後下がりの傾斜面４１ａを下側に有して断面略くさび状に形成されている。第一のガイド傾斜部２７はロックアーム３８の従接突起４０の前方に対向して位置している。第二のガイド傾斜部２８はロックアーム３８の前端に対向して、ロック突起２９の斜め上方に位置している。
【００２７】
雌側のコネクタ３は、コネクタハウジング１０の上壁１９に当接突起（第一の当接突起）５を有し、当接突起５の後方にロック突起（第一のロック突起）２０を有している。当接突起５は前側の垂直な当接面５ａと後側の傾斜面５ｂとを有し、ロック突起２０は前側の傾斜面２０ａと後側の垂直ないし前向きにやや傾斜した係止面２０ｂとを有している。当接突起５は前記雄側のコネクタ２の当接アーム２４の当接突起２５に対向し、ロック突起２０はロックアーム３８のロック突起２９に対向して位置する。当接突起５の外側にはガイド用の突条２１が位置している。
【００２８】
雌側のコネクタハウジング１０には、フロントホルダ４２で画成された各端子収容室に雄型の各端子１２の後半部が収容され、端子１２の前半部のタブ部１２ａがコネクタ嵌合室１１内に突出している。各端子１２は導電性のショートばね４３でジョイント接続されている。端子１２に圧着された電線４４には防水ゴム栓４５が挿着されている。コネクタハウジング１０の下部は固定アーム４５で車体や機器等（図示せず）に固定される。
【００２９】
以下に図４〜図１０を用いて上記半嵌合検知コネクタ１の作用を説明する。
図４において雄側のコネクタ２と雌側のコネクタ３とは初期嵌合し、雌側のコネクタ３の当接突起５がスライダ４の当接アーム２４の当接突起２５に当接し始めている。雄型の端子１２のタブ部１２ａは未だ雌型の端子９の電気接触部９ａに接触しておらず、コネクタ嵌合室１１の底部と内側ハウジング３２の前端との間に大きな隙間Ｌが存在している。
【００３０】
スライダ４はコイルばね１８で前方（コネクタ嵌合方向）に付勢されている。コイルばね１８は予圧縮のままで変位していない。スライダ４の両側の停止突起３０が雄側のコネクタハウジング６の停止突起４６に当接し、且つ後部側の停止突起２３がガイド突起３６に当接することで、スライダ４の前端位置が規定されている。
【００３１】
両コネクタ２，３の嵌合に伴って、図５の如く雌側のコネクタ３の当接突起５がスライダ４の当接突起２５を押すことで、スライダ４がコイルばね１８を圧縮させつつ後退する。雌側のコネクタ３のロック突起２０は雄側のコネクタ２のロックアーム３８のロック突起２９に当接する。スライダ４の第一のガイド傾斜部２７がロックアーム３８の従接突起４０に接する。従接突起４０は第一のガイド傾斜部２７に沿って上昇し、それに伴ってロックアーム３８が上向きに撓む。雄型と雌型の両端子９，１２は接触を開始している。
【００３２】
図６の如くスライダ４が後退するのに伴ってロックアーム３８のロック突起２９は第二のガイド傾斜部２８に沿って上向きに摺接し、それによってロックアーム３８がさらに上向きに撓み、ロックアーム３８のロック突起２９が雌側のコネクタ３のロック突起２０の上側を通過してロック突起２０の斜め前方上側に位置する。
【００３３】
従接突起４０が第一のガイド傾斜部２７に沿って上昇することで、ロック突起２９が第二のガイド傾斜部２８に接触可能となり、それによってロックアーム３８が二段階で大きく撓ませられる。また、スライダ４の当接突起２５は雄側のコネクタ２のガイド突起３６に沿って摺接し、それによって当接アーム２４が上向きに撓み、当接突起２５と雌側のコネクタ３の当接突起５との当接が解除される。図６の状態で両コネクタ２，３は隙間なく完全嵌合し、両端子９，１２は完全に接触する。
【００３４】
両当接突起５，２５の当接が解除されることで、図７の如くスライダ４はコイルばね１８の付勢力で前方に押し戻され、図３の初期状態に復帰する。この際、スライダ４の当接突起２５は雌側のコネクタ３の当接突起５を乗り越えて前方に移動する。スライダ４と一体に第二のガイド傾斜部２８が前方に移動することで、ロックアーム３８のロック突起２９と第二のガイド傾斜部２８との当接が解除され、ロックアーム３８が弾性的に水平方向に復元し、ロック突起２９が雌側のコネクタ３のロック突起２０に係合する。すなわち両ロック突起２０，２９の係止面２０ｂ，２９ｂが対向して接し、両コネクタ２，３がロックされる。
【００３５】
この際、スライダ４の当接壁４１はロックアーム３８の当接突起３９の上側の傾斜面３９ａに当接し、ロックアーム３８の撓みを阻止する。特に、当接壁４１と当接突起３９とがそれらの後下がりの傾斜面３９ａ，４１ａで隙間なく確実に当接するから、不意なロック解除が確実に防止される。これはスライダ４がコイルばね１８で前向きに付勢され、その付勢力で当接壁４１の傾斜面４１ａが当接突起３９の傾斜面３９ａに押し付けられるからに他ならない。
【００３６】
前記図５のコネクタ半嵌合状態において作業者が嵌合をやめた場合は、スライダ４の当接突起２５が雌側のコネクタ３の当接突起５に当接しているから、コイルばね１８の圧縮力で雌側のコネクタ３が雄側のコネクタ２から押し出され、それによりコネクタ半嵌合が検知される。これは図６のコネクタ嵌合状態で未だロックがされていない場合においても同様であり、図５〜図６の過程においても同様である。
【００３７】
特に図５〜図６の過程においてロックアーム３８が第二のガイド傾斜部２７に沿って持ち上げられて、両ロック突起２０，２９同士の接触がなくなるから、摩擦抵抗が減少し、コイルばね１８の力で雌側のコネクタ３がスムーズ且つ確実に押し出され、コネクタの半嵌合検知精度が向上する。
【００３８】
図７のコネクタ嵌合状態からコネクタ２，３を離脱させるには、図８の如くスライダ４の操作用の突部を手指で矢印イの如く後方（コネクタ離脱方向）に引き、スライダ４を後退させる。それに伴ってスライダ４の第一のガイド傾斜部２７がロックアーム３８の従接突起４０に摺接する。さらにスライダ４の当接突起２５の後側の傾斜面２５ｂが雌側のコネクタ３の当接突起５の後側の傾斜面５ｂに沿って摺接する。
【００３９】
そして、図９の如くロックアーム３８のロック突起２９がスライダ４の第二のガイド傾斜部２８で押し上げられてロックアーム３８が上向きに大きく撓む。それと同時に、当接アーム２４の当接突起２５が雌側のコネクタ３の当接突起５に摺接して乗り上げる。両ロック突起２０，２９が上下に離間することで、コネクタ２，３のロックが解除される。スライダ４は操作用の突部２２を手指で後方へ引かれている。
【００４０】
そして、図１０の如く両コネクタ２，３を手で離脱方向に引っ張ることで、両コネクタ２，３が離脱され、両端子９，１２の接続が解除される。スライダ４は突部２２から手指を離すことでコイルばね１８の付勢力で前方へ復帰する。
【００４１】
図７のコネクタ完全嵌合状態で、両ロック突起２０，２９の係止面２０ｂ，２９ｂは予め係止解除しにくい方向に若干傾斜させておくことができる。これは従来（図１２）のようにコネクタ２，３を引っ張ってロック解除を行わせる必要がないからである。これによりロック力が高まり、不意なロック外れが確実に防止される。
【００４２】
また、スライダ４の第一のガイド傾斜部２７と第二のガイド傾斜部２８とで雄側のコネクタ２のロックアーム３８のロック解除動作（撓ませ動作）を強制的に行うから、ロック解除が確実に行われる。また、第一のガイド傾斜部２７に対する従接突起４０をロックアーム３８の両側に設けたことで、ロックアーム３８のぶれ等が防止され、ロック解除がバランス良く安定して行われる。
【００４３】
【発明の効果】
以上の如く、請求項１記載の発明によれば、スライダの第一のガイド傾斜部と第二のガイド傾斜部とで順次ロックアームを強制的に撓ませて、両コネクタのロック部相互の係合を解除させるから、両コネクタを離脱方向に軽く引っ張ることで簡単に離脱させることができる。従って、従来のようにロック部の係止面を離脱させやすいように傾斜させる必要がなく、強いロック力を発揮させることができ、不意なコネクタの抜け出しが防止される。また、第一のガイド傾斜部で先ずロックアームの従接部を拾い、次いで第二のガイド傾斜部で第二のロック部を拾うようにしたことで、ロックアームを大きく且つ確実に撓ませることができ、それにより、コネクタ嵌合操作時に両ガイド部を接触させないようにすることができるから、摺動抵抗の低減によりコネクタ嵌合操作力が低減して、嵌合操作を小さな力でスムーズ且つ容易に且つ確実に行うことができる。
【００４４】
また、スライダの付勢力がそのまま他方のコネクタの押し出し力として作用するから、コネクタ半嵌合時に他方のコネクタが確実に押し出され、コネクタ半嵌合検知精度が向上する。また、コネクタ嵌合操作時に第二のロック部が第二のガイド傾斜部に乗り上げて、ロックアームが大きく撓むと同時に、第一及び第二の当接部の当接が解除されて、スライダが弾性的に復帰し、第二のロック部と第二のガイド傾斜部との当接が解除されるから、ロックアームが復元して、第二のロック部が第一のロック部に確実に係合し、両コネクタが確実にロックされる。
【００４５】
また、請求項２記載の発明によれば、従接部をガイドアームの両側に設けたことで、第一のガイド傾斜部が従接部を拾う際に、ガイドアームがぶれたり捩じれたりせず、ガイドアームの撓み動作が安定して行われる。
【００４６】
また、請求項３記載の発明によれば、コネクタ嵌合操作時に第二のロック部が第二のガイド傾斜部に乗り上げて、ロックアームが大きく撓むと同時に、第一及び第二の当接部の当接が解除されて、スライダが弾性的に復帰し、第二のロック部と第二のガイド傾斜部との当接が解除されるから、ロックアームが復元して、第二のロック部が第一のロック部に確実に係合し、両コネクタが確実にロックされる。
【００４７】
また、請求項３記載の発明によれば、両コネクタのロック状態で、スライダの当接部の傾斜面が弾性付勢のもとでロックアームの第三の当接部の傾斜面に当接することで、ロックアームが第三の当接部で撓み反対方向に押圧されるから、ロックアームの撓みが確実に阻止され、不意なロック外れが確実に防止される。
【００４８】
また、請求項４記載の発明によれば、スライダの停止部が付勢のもとで一方のコネクタのガイド部に当接することで、スライダの復元位置が正確に規定される。
【００４９】
また、請求項５記載の発明によれば、両ロック部が、垂直ないしはロック解除しにくい方向に傾斜した係止面同士で当接することで、ロック力が高まり、不意なロック外れが一層確実に防止される。この請求項５記載の発明の構成及び効果は請求項１記載の発明の構成によって可能となっている。すなわち、スライダの第一のガイド傾斜部と第二のガイド傾斜部とで順次ロックアームを強制的に撓ませて、両コネクタのロック解除を行わせることで、従来のようにロック部の係止面を離脱させやすいように傾斜させる必要がなくなったことで、請求項５記載の発明の構成が可能となった。
【図面の簡単な説明】
【図１】本発明に係る半嵌合検知コネクタの一実施形態を示す分解斜視図である。
【図２】雄側のコネクタを示す分解斜視図である。
【図３】半嵌合検知コネクタを示す縦断面図である。
【図４】  (a) は半嵌合検知コネクタの初期嵌合状態を示す平面図、(b) は同じく縦断面図である。
【図５】  (a) は半嵌合検知コネクタのロック開始状態を示す平面図、(b) は同じく縦断面図である。
【図６】  (a) は半嵌合検知コネクタのロック直前の状態を示す平面図、(b) は同じく縦断面図である。
【図７】  (a) は半嵌合検知コネクタの完全嵌合状態を示す平面図、(b) は同じく縦断面図である。
【図８】  (a) は半嵌合検知コネクタのロック解除開始の状態を示す平面図、(b) は同じく縦断面図である。
【図９】  (a) は半嵌合検知コネクタのロック解除状態を示す平面図、(b) は同じく縦断面図である。
【図１０】  (a) は半嵌合検知コネクタの離脱状態を示す平面図、(b) は同じく縦断面図である。
【図１１】従来の半嵌合検知コネクタを示す分解した状態の縦断面図である。
【図１２】同じく従来の半嵌合検知コネクタの嵌合状態を示す縦断面図である。
【符号の説明】
１              半嵌合検知コネクタ
２              雄側のコネクタ
３              雌側のコネクタ
４              スライダ
５              当接突起（第一の当接部）
２０            ロック突起（第一のロック部）
２０ｂ，２９ｂ  係止面
２３            停止突起（停止部）
２４            当接アーム
２５            当接突起（第二の当接部）
２７            第一のガイド傾斜部
２８            第二のガイド傾斜部
２９            ロック突起（第二のロック部）
３６            ガイド突起（ガイド部）
３８            ロックアーム
３９            当接突起（第三の当接部）
３９ａ，４１ａ  傾斜面
４０            従接突起（従接部）
４１            当接壁（当接部）
【図１】
0003887142.tif 000002
【図２】
0003887142.tif 000003
【図３】
0003887142.tif 000004
【図４】
0003887142.tif 000005
【図５】
0003887142.tif 000006
【図６】
0003887142.tif 000007
【図７】
0003887142.tif 000008
【図８】
0003887142.tif 000009
【図９】
0003887142.tif 000010
【図１０】
0003887142.tif 000011
【図１１】
0003887142.tif 000012
【図１２】
0003887142.tif 000013